(57)【要約】【課題】夏期などに涼感が得られるようシャツの肩部分を一枚の生地により形成しながらも、その保形性の低下を抑えて肩部分における美しいシルエットを保ち得るようにする。【解決手段】肩部分を別の生地で形成せずに後身頃４を衿３まで延ばして一枚の生地により形成したシャツ１に関し、後身頃４及び前身頃６に対する袖付け箇所がインターロック縫いで縫着され且つその縫着部分に挟み込まれて一緒に縫い付けられた熱接着テープ７が生地に対し熱溶着されているシャツ１とする。【選択図】図１
2018003209.tif 000002
【特許請求の範囲】
【請求項１】
肩部分を別の生地で形成せずに後身頃を衿まで延ばして一枚の生地により形成したシャツであって、後身頃及び前身頃に対する袖付け箇所がインターロック縫いで縫着され且つその縫着部分に挟み込まれて一緒に縫い付けられた熱接着テープが生地に対し熱溶着されていることを特徴とするシャツ。
【請求項２】
後身頃と前身頃との肩合わせ箇所がインターロック縫いで縫着され且つその縫着部分に挟み込まれて一緒に縫い付けられた熱接着テープが生地に対し熱溶着されていることを特徴とする請求項１に記載のシャツ。
【発明の詳細な説明】
【技術分野】
【０００１】
本発明は、シャツに関するものである。
【背景技術】
【０００２】
図８に示す如きワイシャツやカジュアルシャツなどといったシャツ１においては、外気温度の高い夏期などに外出していると、肩部分から衿にかけての比較的厚手の部分に熱が籠って不快な暑さを感じることがある。
【０００３】
即ち、シャツ１の肩部分を成すヨーク２や衿３の部分は、シャツ１の立体感を醸し出すための保形性を有するように二枚の生地を重ね合わせて仕立てられるようになっているので、この二重部分における通気性が損なわれて熱が籠り易くなってしまう。
【０００４】
このような従来からの伝統的なシャツ１の構造様式は、長年に亘り踏襲され続けてきたものであり、近年においては、半袖シャツや開襟シャツなどといった根本的なデザイン変更により涼感を得られるようにしたシャツも既に存在しているが、このようなデザイン変更によるものは、シャツのスタンダードなデザインを好む購買層には受け入れられていないのが実情であり、特にビジネス用のワイシャツとしては得意先などを訪問するのにあたり先方に不適切な印象を与えかねない。
【０００５】
そこで、肩部分を別の生地によりヨーク２として形成することに換えて、図９に示す如く、後身頃４を衿３まで延ばした一枚の生地によりシャツ１の背面から肩部分までを一緒に形成し、シャツ１のスタンダードなデザインを生かしつつ肩部分の通気性を向上して夏期などに涼感が得られるようにすることが提案されており、例えば、下記の特許文献１などが先行技術文献情報として既に存在している。
【０００６】
尚、図中における符号５は袖を示しており、ここには図示されていないが、シャツ１の正面側は前身頃により形成されるようになっていて、この前身頃と前記後身頃４により形成される袖ぐり（アームホール）に対し前記袖５が縫い付けられるようになっている。
【先行技術文献】
【特許文献】
【０００７】
【特許文献１】実用新案登録第３０８００２２号公報
【発明の概要】
【発明が解決しようとする課題】
【０００８】
しかしながら、図９で説明した如き後身頃４を衿３まで延ばした一枚の生地によりシャツ１の背面から肩部分までを一緒に形成した場合には、肩部分を二枚の生地を重ね合わせて仕立てた場合と比較して保形性の低下を招いてしまうことが避けられず、シャツ１の肩部分における美しいシルエットを形づくることが難しくなるという問題があった。
【０００９】
本発明は、上述の実情に鑑みてなしたもので、夏期などに涼感が得られるようシャツの肩部分を一枚の生地により形成しながらも、その保形性の低下を抑えて肩部分における美しいシルエットを保ち得るようにすることを目的としている。
【課題を解決するための手段】
【００１０】
本発明は、肩部分を別の生地で形成せずに後身頃を衿まで延ばして一枚の生地により形成したシャツであって、後身頃及び前身頃に対する袖付け箇所がインターロック縫いで縫着され且つその縫着部分に挟み込まれて一緒に縫い付けられた熱接着テープが生地に対し熱溶着されていることを特徴とするものである。
【００１１】
而して、このようにすれば、袖付け箇所の縫着部分に挟み込まれて一緒に縫い付けられた熱接着テープが生地に対し熱溶着された状態となっていることで芯地のように作用し、袖付け箇所に張りやコシが出て肩部分の左右両側の保形性が補われ、該肩部分における美しいシルエットが形づくられ、しかも、インターロックミシンにより縫い合わせと生地の裁断と熱接着テープのしつけとを同時に行うことで工程の簡素化が図られる。
【００１２】
また、本発明においては、後身頃と前身頃との肩合わせ箇所がインターロック縫いで縫着され且つその縫着部分に挟み込まれて一緒に縫い付けられた熱接着テープが生地に対し熱溶着されていても良い。
【００１３】
このようにした場合、肩合わせ箇所の縫着部分に挟み込まれて一緒に縫い付けられた熱接着テープが生地に対し熱溶着された状態となっていることで芯地のように作用し、肩合わせ箇所にも張りやコシが出て肩部分の上側の保形性が更に補われ、該肩部分における美しいシルエットがより一層美しく形づくられ、しかも、インターロックミシンにより縫い合わせと生地の裁断と熱接着テープのしつけとを同時に行うことで工程の簡素化が図られる。
【発明の効果】
【００１４】
上記した本発明のシャツによれば、下記の如き種々の優れた効果を奏し得る。
【００１５】
（Ｉ）本発明の請求項１に記載の発明によれば、夏期などに涼感が得られるようシャツの肩部分を一枚の生地により形成しながらも、その保形性の低下を抑えて肩部分における美しいシルエットを形づくることができ、しかも、インターロック縫いを採用することで工程を簡素化して大幅な実施コストの削減を図ることができる。
【００１６】
（ＩＩ）本発明の請求項２に記載の発明によれば、一枚の生地により形成した肩部分の上側の保形性を更に補うことができて該肩部分におけるシルエットをより一層美しく形づくることができ、しかも、肩合わせ箇所にもインターロック縫いを採用することで更なる低コスト化を実現することができる。
【図面の簡単な説明】
【００１７】
【図１】本発明を実施する形態の一例を示す正面図である。
【図２】図１の袖付け箇所の縫着部分を拡大して示す断面図である。
【図３】図２の形態例での第一工程を示す断面図である。
【図４】図２の形態例での第二工程を示す断面図である。
【図５】図２の形態例での第三工程を示す断面図である。
【図６】本発明の別の形態例を示す正面図である。
【図７】図６の肩合わせ箇所の縫着部分を拡大して示す断面図である。
【図８】従来のシャツの一例を示す背面図である。
【図９】従来のシャツの他の例を示す背面図である。
【発明を実施するための形態】
【００１８】
以下、本発明の実施の形態を図面を参照しつつ説明する。
【００１９】
図１〜図５は本発明を実施する形態の一例を示すもので、図９と同一の符号を付した部分は同一物を表わしている。
【００２０】
図１に示すように、本形態例においては、シャツ１の肩部分を別の生地で形成せずに後身頃４を衿３まで延ばして一枚の生地により形成されており、しかも、後身頃４及び前身頃６に対する袖付け箇所（後身頃４及び前身頃６の袖ぐりに対する袖５の縫い付け箇所）がインターロック縫いで縫着され且つその縫着部分に挟み込まれて一緒に縫い付けられた熱接着テープ７が生地に対し熱溶着されているところが特徴となっている。
【００２１】
尚、以下の説明で用いる断面図にあっては、後身頃４と袖５との縫着部分も前身頃６と袖５との縫着部分も見た目に変わるところがないため、同じ図面を用いて袖５の縫着相手が後身頃４である場合と前身頃６である場合とを示しており、主に後身頃４と袖５との縫着部分として図示してあるが、図中に括弧書きで示している符号は、袖５の縫着相手が前身頃６である場合について示している。
【００２２】
図２に拡大して示す如く、後身頃４及び前身頃６の袖ぐりを成す端部がシャツ１の内側に折り返されて縫い代４ａ，６ａを成し且つ該縫い代４ａ，６ａと袖５上端の縫い代５ａとがインターロック縫いにより地縫いと裁ち目かがりとを同時に施されているが、この際に、縫い代４ａ，６ａと後身頃４及び前身頃６の裏面との間に熱接着テープ７が挟み込まれて一緒に縫い付けられ、アイロン８（図５参照）によるプレスで前記熱接着テープ７が生地に対し熱溶着されるようにしてある。
【００２３】
このようなインターロック縫いによる具体的な仕立ての手順は、図３に示す如き後身頃４及び前身頃６に袖５を重ね合わせ且つこれらの裁断予定位置に熱接着テープ７を更に重ねた上で後身頃４及び前身頃６と袖５とを裁断しながら地縫いと裁ち目かがりと熱接着テープ７のしつけを同時に行う第一工程と、図４に示す如き後身頃４及び前身頃６の全体を折り返して前記熱接着テープ７ごと縫着部分を貫通ステッチでたたき縫いする第二工程と、図５に示す如きアイロン８により熱を加えながらプレスする第三工程とを順次行うというものであり、全て機械化された流れ作業により実施することが可能である。
【００２４】
尚、図３の第一工程、図４の第二工程、図５の第三工程において、後身頃４及び前身頃６は肩合わせ箇所のみを先行して縫着した展開状態となっており、また、袖５も細長い扇状に展開した状態となっていて、袖付け箇所の縫着が完了した後に後身頃４及び前身頃６の脇縫いと袖５の閉じ合わせを行ってシャツ１が完成することになる。
【００２５】
而して、このようにシャツ１を縫製すれば、袖付け箇所の縫着部分に挟み込まれて一緒に縫い付けられた熱接着テープ７が生地に対し熱溶着された状態となっていることで芯地のように作用し、袖付け箇所に張りやコシが出て肩部分の左右両側の保形性が補われ、該肩部分における美しいシルエットが形づくられ、しかも、インターロックミシンにより縫い合わせと生地の裁断と熱接着テープ７のしつけとを同時に行うことで工程の簡素化が図られる。
【００２６】
従って、上記形態例によれば、夏期などに涼感が得られるようシャツ１の肩部分を一枚の生地により形成しながらも、その保形性の低下を抑えて肩部分における美しいシルエットを形づくることができ、しかも、インターロック縫いを採用することで工程を簡素化して大幅な実施コストの削減を図ることができる。
【００２７】
また、図６は本発明の別の形態例を示すもので、後身頃４と前身頃６との肩合わせ箇所についてもインターロック縫いで縫着され且つその縫着部分に挟み込まれて一緒に縫い付けられた熱接着テープ７が生地に対し熱溶着されるようにしたものであり、図７に拡大して示す如く、後身頃４の背面側から正面側に回り込む上端（図７における図示では後身頃４の下側に向かう端部）がシャツ１の内側（図７中の右側）に折り返されて縫い代４ａを成し且つ該縫い代４ａに前身頃６の上端が縫い代６ａとして重ね合わされ、これら縫い代４ａ，６ａ同士がインターロック縫いにより地縫いと裁ち目かがりとを同時に施されるようになっているが、この際に、両縫い代４ａ，６ａの表面と後身頃４の裏面との間に熱接着テープ７が挟み込まれて一緒に縫い付けられ、アイロン８（図５参照）によるプレスで前記熱接着テープ７が生地に対し熱溶着されるようにしてある（具体的な仕立ての手順については、前述した図３〜図５の工程と特に変わるところがないため説明を割愛する）。
【００２８】
而して、このようにした場合にも、肩合わせ箇所の縫着部分に挟み込まれて一緒に縫い付けられた熱接着テープ７が生地に対し熱溶着された状態となっていることで芯地のように作用し、肩合わせ箇所にも張りやコシが出て肩部分の上側の保形性が更に補われ、該肩部分における美しいシルエットがより一層美しく形づくられ、しかも、インターロックミシンにより縫い合わせと生地の裁断と熱接着テープ７のしつけとを同時に行うことで工程の簡素化が図られる。
【００２９】
従って、本形態例においては、一枚の生地により形成した肩部分の上側の保形性を更に補うことができて該肩部分におけるシルエットをより一層美しく形づくることができ、しかも、肩合わせ箇所にもインターロック縫いを採用することで更なる低コスト化を実現することができる。
【００３０】
尚、本発明のシャツは、上述の形態例にのみ限定されるものではなく、袖付け箇所の縫着が完了した後に後身頃及び前身頃の脇縫いと袖の閉じ合わせを行うにあたり、必要に応じて袖付け箇所と同様の構造を適用しても良いこと、その他、本発明の要旨を逸脱しない範囲内において種々変更を加え得ることは勿論である。
【符号の説明】
【００３１】
１      シャツ
３      衿
４      後身頃
５      袖
６      前身頃
７      熱接着テープ
【図１】
2018003209.tif 000003
【図２】
2018003209.tif 000004
【図３】
2018003209.tif 000005
【図４】
2018003209.tif 000006
【図５】
2018003209.tif 000007
【図６】
2018003209.tif 000008
【図７】
2018003209.tif 000009
【図８】
2018003209.tif 000010
【図９】
2018003209.tif 000011